(57)【要約】【課題】鉄粉が防塵フィルターをすり抜けても、制御盤内の電気部品に鉄粉が付着堆積することを防止することができる昇降機用制御盤の防塵装置を提供する。【解決手段】昇降機の制御に用いる電気部品を収納した制御盤の吸気口に設けられた防塵フィルターと、制御盤の排気口に設けられた送風装置と、防塵フィルターの制御盤内側に近接して設けられた磁石と、を備えた。かかる構成とすることで、防塵フィルターをすり抜けた鉄粉は、磁石に吸着される。【選択図】図２
2011143999.tif 000002
【特許請求の範囲】
【請求項１】
昇降機の制御に用いる電気部品を収納した制御盤の吸気口に設けられた防塵フィルターと、
前記制御盤の排気口に設けられた送風装置と、
前記防塵フィルターの前記制御盤内側に近接して設けられた磁石と、
を備えたことを特徴とする昇降機用制御盤の防塵装置。
【請求項２】
前記磁石は、前記電気部品よりも前記防塵フィルターに近接して設けられたことを特徴とする請求項１記載の昇降機用制御盤の防塵装置。
【請求項３】
前記磁石は、電磁石からなることを特徴とする請求項１又は請求項２に記載の昇降機用制御盤の防塵装置。
【請求項４】
前記電磁石への通電を遮断するスイッチ、
を備えたことを特徴とする請求項３記載の昇降機用制御盤の防塵装置。
【請求項５】
前記磁石は、永久磁石からなることを特徴とする請求項１又は請求項２に記載の昇降機用制御盤の防塵装置。
【発明の詳細な説明】
【技術分野】
【０００１】
この発明は、昇降機用制御盤の防塵装置に関するものである。
【背景技術】
【０００２】
昇降機の機械室に設けられた制御盤の防塵装置として、下方に設けられた吸気口から気流を吸い込むと共に、該気流を排出する風洞と、該風洞内に設けられたファンと、吸気口に設けられると共に、吸気口に対応する第１部とそれ以外の第２部とを有し、吸気口の面積の少なくとも二倍以上有する防塵フィルターと、該防塵フィルターの圧力損失値を検出する検出手段とを備えており、該圧力損失値に基づいて防塵フィルターを移動して第２部を吸気口に対応させると共に、第１部を吸気口に対応させない位置に移動する移動手段を備えたものが提案されている。
【０００３】
かかる昇降機用制御盤の防塵装置によれば、気流に含まれる粉塵は、防塵フィルターで漉し取られ、制御盤内へ侵入することができなくなる。即ち、制御盤内の換気が適正に維持される。さらに、防塵フィルターの目詰まりによる防塵フィルターの交換周期が延長される（例えば、特許文献１参照）。
【先行技術文献】
【特許文献】
【０００４】
【特許文献１】特開２００９−１０７７３７号公報
【発明の概要】
【発明が解決しようとする課題】
【０００５】
しかしながら、特許文献１記載のものを微細な鉄粉が発生する鉄道等の劣悪な環境で使用すると、微細な鉄粉が防塵フィルターをすり抜けて制御盤内に浸入してしまう。この場合、制御盤内の電気部品に鉄粉が付着堆積することがある。そして、かかる付着堆積により、電気部品に故障が発生するという問題があった。
【０００６】
この発明は、上述のような課題を解決するためになされたもので、その目的は、鉄粉が防塵フィルターをすり抜けても、制御盤内の電気部品に鉄粉が付着堆積することを防止することができる昇降機用制御盤の防塵装置を提供することである。
【課題を解決するための手段】
【０００７】
この発明に係る昇降機用制御盤の防塵装置は、昇降機の制御に用いる電気部品を収納した制御盤の吸気口に設けられた防塵フィルターと、前記制御盤の排気口に設けられた送風装置と、前記防塵フィルターの前記制御盤内側に近接して設けられた磁石と、を備えたものである。
【発明の効果】
【０００８】
この発明によれば、鉄粉が防塵フィルターをすり抜けても、制御盤内の電気部品に鉄粉が付着堆積することを防止することができる。
【図面の簡単な説明】
【０００９】
【図１】この発明の実施の形態１における昇降機用制御盤の防塵装置が利用されるエレベータの全体構成図である。
【図２】この発明の実施の形態１における昇降機用制御盤の防塵装置が利用される制御盤の内部構成図である。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１における昇降機用制御盤の防塵装置が利用されるエレベータの全体構成図である。
図１において、１はエレベータの昇降路である。この昇降路１は、建築物の各階を貫くように形成される。２は機械室である。この機械室２は、昇降路１の上部に設けられる。
【００１２】
３はシーブである。このシーブ３は、機械室２に設けられるものである。４は主ロープである。この主ロープ４は、シーブ３外周面に設けられた溝に巻き掛けられるものである。５はエレベータのかごである。このかご５は、主ロープ４の一端に連結されるものである。６はつりあい錘である。このつりあい錘６は、主ロープ４の他端に連結されるものである。
【００１３】
７は巻上機である。この巻上機７は、機械室２に設けられるものである。この巻上機７は、シーブ３を回転駆動するものである。８は制御盤である。この制御盤８は、機械室２に設けられるものである。この制御盤８は、乗場呼び等に応答して、巻上機７の回転及び停止を制御するものである。なお、制御盤８は、昇降路１内に設けられる場合もある。
【００１４】
かかる構成のエレベータにおいては、制御盤８が巻上機７を回転させる。かかる回転により、シーブ３も回転する。かかる回転により、シーブ３からの摩擦力によって主ロープ４が駆動される。
【００１５】
かかる駆動により、かご５及びつりあい錘６が反対方向に昇降する。そして、制御盤８が巻上機７を停止させるとともに制動機（図示せず）にシーブ３を制止させることにより、かご５が所定階に停止する。
【００１６】
次に、図２を用いて、制御盤８の内部構成を説明する。
図２はこの発明の実施の形態２における昇降機用制御盤の防塵装置が利用される制御盤の内部構成図である。
図２において、９は制御盤８の筐体である。この筐体９は、略直方体に形成される。この筐体９の内部には、昇降機を制御するための電気部品が収納される。
【００１７】
図２においては、電気部品として、発熱部１０と駆動制御部１１とが例示される。発熱部１０は、例えば、巻上機７を駆動するインバータ等からなる。駆動制御部１１は、インバータ等の発熱部１０を駆動制御する機能を備える。
【００１８】
また、制御盤８の側面下部の両側には、吸気口１２が設けられる。これらの吸気口１２の開口部の制御盤８内側には、防塵フィルター１３が設けられる。さらに、制御盤８の側面上部の一側には、排気口１４が設けられる。この排気口１４の開口部の制御盤８内側には、送風装置１５が設けられる。
【００１９】
本実施の形態の制御盤８内には、電磁石１６が設けられる。この電磁石１６は、鉄心１７、コイル１８を備える。鉄心１７は、長手方向を水平にして、防塵フィルター１３の制御盤８内側に近接して設けられる。即ち、鉄心１７は、制御盤８内の発熱部１０及び駆動制御部１１よりも防塵フィルター１３に近接して配置される。
【００２０】
コイル１８は、鉄心１７の外周面に巻き付けられる。また、コイル１８には、電源１９とスイッチ２０とが直列に接続される。電源１９とスイッチ２０とは、電磁石１６よりも排気口１４側に設けられる。即ち、電源１９とスイッチ２０とは、電磁石１６よりも吸気口１２から離れた位置に配置される。
【００２１】
かかる構成の制御盤８においては、制御盤８内の駆動制御部１１の指令により、巻上機７が駆動する。これにより、かご５が昇降する。このとき、インバータ等の発熱部１０の温度が上昇する。このため、送風装置１５が動作し、発熱部１０を空気冷却する。即ち、送風装置１５の動作に従って、空気が吸気口１２、防塵フィルター１３、電磁石１６、送風装置１５、排気口１４の順に制御盤８内を通過する。
【００２２】
ここで、空気に含まれる粉塵は、一定以上の大きさを有していれば、防塵フィルター１３に濾し取られる。しかしながら、微細な鉄粉が発生する鉄道等の劣悪な環境下では、微細な鉄粉が防塵フィルター１３をすり抜けて、制御盤８内に侵入してしまう。
【００２３】
これに対し、本実施の形態の防塵フィルター１３の近傍には、電磁石１６が配置されている。そして、スイッチ２０は、通常、閉成されている。かかる閉成により、電磁石１６への導通が確保されている。かかる導通の確保により、電磁石１６が励磁されている。かかる励磁により、電磁石１６は磁力を発生させている。このため、微細な鉄粉は、電磁石１６の磁力により鉄心１７に吸着される。即ち、微細な鉄粉は、駆動制御部１１等の電気部品に到達して付着堆積することがない。
【００２４】
そして、制御盤８の保守時には、スイッチ２０が開放される。かかる開放により、電磁石１６への導通が遮断される。かかる遮断により、電磁石１６が消磁される。かかる消磁により、電磁石１６は磁力を失う。このため、鉄心１７に付着していた鉄粉は、電磁石１６から吸着から開放される。即ち、鉄心１７に付着していた鉄粉は容易に取り除かれる。
【００２５】
以上で説明した実施の形態によれば、制御盤８内の微細な鉄粉は電磁石１６に吸着される。このため、駆動制御部１１等の電気部品へ鉄粉が付着堆積することを防止することができる。これにより、駆動制御部１１等の電気部品の故障が防止される。このため、制御盤８の長寿命化を図ることができる。
【００２６】
また、スイッチ２０が開放されることにより、電磁石１６への通電が遮断される。このため、鉄心１７に吸着された鉄粉を容易に取り除くことができる。
【００２７】
なお、実施の形態１においては、電磁石１６で鉄粉を吸着する構成となっていた。しかし、永久磁石等で鉄粉を吸着する構成としても、駆動制御部１１等の電気部品へ鉄粉が付着堆積することを防止することができる。
【００２８】
また、乗客コンベア等、他の昇降機用制御盤の防塵装置に上記同様の磁石を設けても、実施の形態１と同様に、駆動制御部１１等の電気部品へ鉄粉が付着堆積することを防止することができる。
【符号の説明】
【００２９】
１  昇降路、  ２  機械室、  ３  シーブ、  ４  主ロープ、  ５  かご、
６  つりあい錘、  ７  巻上機、  ８  制御盤、  ９  筐体、  １０  発熱部、  
１１  駆動制御部、  １２  吸気口、  １３  防塵フィルター、  １４  排気口、
１５  送風装置、  １６  電磁石、  １７  鉄心、  １８  コイル、  １９  電源、
２０  スイッチ
【図１】
2011143999.tif 000003
【図２】
2011143999.tif 000004